(57)【特許請求の範囲】
【請求項１】
入力されたファクス番号を記憶及び表示する送信先番号入力処理部と、前記送信先番号入力処理部に入力されたファクス番号をダイヤルしてファクス文書を送信するファクス送信部を備えているファクシミリ装置であって、
前記送信先番号入力処理部を介してファクス番号を先頭から入力する第一モードとファクス番号を末尾から入力する第二モードでなる二つの入力モードを切り替えるモード切替部と、一方の入力モードで入力されたファクス番号を他方の入力モードで非表示に切り替える表示制御部を含み、前記第一モードで入力されたファクス番号と前記第二モードで入力されたファクス番号を照合して双方のファクス番号が一致するときに前記ファクス送信部を起動する誤送信防止部と、
前記誤送信防止部を作動させるか否かを切り替え設定する誤送信防止モード設定部とを備え、
前記誤送信防止部は、双方のファクス番号が不一致であるときに前記モード切替部が直前の入力モードとは異なる入力モードに切り替えるように構成されるとともに、モード切替部により設定された入力モードを強制的に切り替えるモード強制切替部をさらに備えているファクシミリ装置。
【請求項２】
入力されたファクス番号を記憶及び表示する送信先番号入力処理ステップと、前記送信先番号入力処理ステップで入力されたファクス番号をダイヤルしてファクス文書を送信するファクス送信ステップを備えているファクシミリ送信方法であって、
前記送信先番号入力処理ステップの入力モードをファクス番号を先頭から入力する第一モードと前記ファクス番号を末尾から入力する第二モードの何れかに切り替えるモード切替ステップと、一方の入力モードで入力されたファクス番号を他方の入力モードで非表示に切り替える表示制御ステップとを含み、前記第一モードで入力されたファクス番号と前記第二モードで入力されたファクス番号を照合して双方のファクス番号が一致するときに前記ファクス送信ステップを実行する誤送信防止ステップと、
前記誤送信防止ステップを実行するか否かを切り替え設定する誤送信防止モード設定ステップとを、備え、
前記誤送信防止ステップは、双方のファクス番号が不一致であるときに前記モード切替ステップで直前の入力モードとは異なる入力モードに切り替えるように構成されるとともに、モード切替ステップにより設定された入力モードを強制的に切り替えるモード強制切替ステップをさらに備えているファクシミリ送信方法。
【発明の詳細な説明】
【技術分野】
【０００１】
本発明は、ファクシミリ装置及びファクシミリ送信方法に関する。
【背景技術】
【０００２】
ファクシミリ装置には、頻繁にファクス送信を行う送信先のファクス番号を事前にメモリに登録し、ファクス文書のファクス送信時に当該ファクス番号をメモリから呼び出すことができる機能が搭載されている。
【０００３】
当該機能を用いると送信先のファクス番号をメモリから呼び出してファクス文章を送信することができるので、ファクス番号の入力ミスによるファクス文書の誤送信が生じる可能性は極めて低い。
【０００４】
しかし、当該機能を搭載したファクシミリ装置であっても、メモリに登録していない送信先にファクス文書を送信するには、当該送信先のファクス番号を直接入力する必要があり、送信先のファクス番号を一桁でも入力し間違えると、ファクス文書が誤送信されてしまう。
【０００５】
そして、ファクシミリ装置から送信されたファクス文書は入力されたファクス番号の送信先に直ちに送信されてしまうため、ファクス番号の入力ミスによる誤送信により、例えば、営業秘密などの重要な内容が記載されたファクス文書が予期せぬ送信先に届き、大きな問題となる虞がある。
【０００６】
そこで、オペレータの操作ミスによるファクス文書の誤送信を防止するという課題を解決するものとして、特許文献１には、ファクス文書を送信する際にダイヤル入力によって入力される当該ファクス文書の受信側のファクシミリ端末のファクス番号を２回入力操作することにより入力し、１回目の入力操作内容と２回目の入力操作内容が一致しなければ、当該ファクス文書が送信されない誤送信防止方式を採用したファクシミリ装置が記載されている。
【特許文献１】特開平２−２０００５８号公報
【発明の開示】
【発明が解決しようとする課題】
【０００７】
ところが、ファクス番号は比較的容易に記憶することができるため、オペレータはメモ等を確認することなく記憶したファクス番号をファクシミリ装置に直接入力してファクス文書を送信することが多い。
【０００８】
即ち、特許文献１に記載されたファクシミリ装置では、オペレータの操作ミスで生じたファクス番号の入力ミスによるファクス文書の誤送信を防止することはできるものの、オペレータの記憶ミスで生じたファクス番号の入力ミスによるファクス文書の誤送信を防止することはできなかった。
【０００９】
本発明の目的は、上述の問題に鑑み、オペレータの記憶ミスで生じるファクス番号の入力ミスによるファクス文書の誤送信を防止することができるファクシミリ装置及びファクシミリ送信方法を提供する点にある。
【課題を解決するための手段】
【００１０】
上述の目的を達成するため、本発明によるファクシミリ装置の第一の特徴構成は、特許請求の範囲の書類の請求項１に記載した通り、入力されたファクス番号を記憶及び表示する送信先番号入力処理部と、前記送信先番号入力処理部に入力されたファクス番号をダイヤルしてファクス文書を送信するファクス送信部を備えているファクシミリ装置であって、前記送信先番号入力処理部を介してファクス番号を先頭から入力する第一モードとファクス番号を末尾から入力する第二モードでなる二つの入力モードを切り替えるモード切替部と、一方の入力モードで入力されたファクス番号を他方の入力モードで非表示に切り替える表示制御部を含み、前記第一モードで入力されたファクス番号と前記第二モードで入力されたファクス番号を照合して双方のファクス番号が一致するときに前記ファクス送信部を起動する誤送信防止部と、前記誤送信防止部を作動させるか否かを切り替え設定する誤送信防止モード設定部とを備え、前記誤送信防止部は、双方のファクス番号が不一致であるときに前記モード切替部が直前の入力モードとは異なる入力モードに切り替えるように構成されるとともに、モード切替部により設定された入力モードを強制的に切り替えるモード強制切替部をさらに備えている点にある。
【００１１】
送信先のファクス番号を記憶する場合、一般的に、オペレータは先頭から末尾の順で当該ファクス番号を記憶し、末尾から先頭の順で当該ファクス番号を記憶することはない。そして、先頭から末尾の順で当該ファクス番号を記憶していても、当該記憶に基づいてオペレータが末尾から先頭の順で当該ファクス番号を入力することは非常に難しい。
【００１２】
従って、モード切替部により第一モードから第二モードに入力モードが切り替えられると、オペレータはメモなどに記載されたファクス番号を確認しながら当該ファクス番号を末尾から入力することになる。第一モードと第二モードで入力された双方のファクス番号が一致するときに誤送信防止部によりファクス送信部が起動されるため、オペレータの記憶したファクス番号のみに基づいてファクス送信部によりファクス文書が送信されることを防止することができる。
【００１３】
尚、モード切替部により第一モードから第二モードに入力モードが切り替えられたとき、オペレータは、ファクス番号の入力を末尾から行うように要求されるが、送信先番号入力処理部に第一モードで先に入力されたファクス番号は表示制御部により非表示に切り替えられている。
【００１４】
そこで、オペレータは、当該ファクス番号を確認しながら末尾からファクス番号を入力することはできず、メモなどに記載されたファクス番号を確認しながら当該ファクス番号を末尾から入力することになる。
【００１５】
誤送信防止部により双方のファクス番号が一致しないと判断されたとき、オペレータは、先の入力時よりも慎重にファクス番号を入力すると考えられる。従って、先に入力されたファクス番号よりも後から入力されたファクス番号のほうが入力ミスを生じている可能性は低いと考えられる。
【００１６】
特に、ファクス文書の送信にあたって、オペレータが、先ず、第一モードで記憶に基づいてファクス番号を入力し、その後、第二モードでメモなどを確認しながらファクス番号を入力したときに、誤送信防止部により双方のファクス番号が一致しないと判断されたときには、第一モードで入力されたファクス番号に入力ミスを生じている可能性が高いと考えられる。
【００１７】
上述の構成によれば、第一モードで入力されたファクス番号と第二モードで入力されたファクス番号が不一致であると前記誤送信防止部により判断されると、モード切替部により直前の入力モードとは異なる入力モードに切り替えるため、オペレータは直前に入力されたファクス番号よりも入力ミスを生じている可能性が高い先に入力されたファクス番号を優先的に入力し直すことができ、効率的にファクス番号を入力し直すことができる。
【００１８】
さらに、モード切替部により設定された入力モードが、モード強制切替部により強制的に切り替えられるので、誤ってファクス番号を入力した入力モードを把握している場合には、速やかに再入力することができるようになる。
【００１９】
さらに、誤送信防止部が作動しているときには、オペレータは送信番号入力処理部に対してファクス番号を少なくとも二度入力する必要がある。従って、ファクス文書の誤送信を防止することよりもオペレータの作業効率を重要視するような環境下でファクシミリ装置を使用するときには、誤送信防止部が作動していることは好ましくない。
【００２０】
また、送信するファクス文書が重要度の低いものばかりである等、ファクス文書の誤送信が許容されるような環境下でファクシミリ装置を使用するときには、誤送信防止部を作動させる必要性は少ない。
【００２１】
上述の構成によれば、誤送信防止モード設定部により誤送信防止部を作動させるか否かを切り替え設定できるため、ファクシミリ装置の使用環境に応じて誤送信防止部を作動させるか否かを設定することができる。
【００２２】
上述の目的を達成するため、本発明によるファクシミリ送信方法の特徴構成は、特許請求の範囲の書類の請求項２に記載した通り、入力されたファクス番号を記憶及び表示する送信先番号入力処理ステップと、前記送信先番号入力処理ステップで入力されたファクス番号をダイヤルしてファクス文書を送信するファクス送信ステップを備えているファクシミリ送信方法であって、前記送信先番号入力処理ステップの入力モードをファクス番号を先頭から入力する第一モードと前記ファクス番号を末尾から入力する第二モードの何れかに切り替えるモード切替ステップと、一方の入力モードで入力されたファクス番号を他方の入力モードで非表示に切り替える表示制御ステップとを含み、前記第一モードで入力されたファクス番号と前記第二モードで入力されたファクス番号を照合して双方のファクス番号が一致するときに前記ファクス送信ステップを実行する誤送信防止ステップと、前記誤送信防止ステップを実行するか否かを切り替え設定する誤送信防止モード設定ステップとを、備え、前記誤送信防止ステップは、双方のファクス番号が不一致であるときに前記モード切替ステップで直前の入力モードとは異なる入力モードに切り替えるように構成されるとともに、モード切替ステップにより設定された入力モードを強制的に切り替えるモード強制切替ステップをさらに備えている点にある。
【発明の効果】
【００２３】
以上説明した通り、本発明によれば、オペレータの記憶ミスで生じるファクス番号の入力ミスによるファクス文書の誤送信を防止することができるファクシミリ装置及びファクシミリ送信方法を提供することができるようになった。
【発明を実施するための最良の形態】
【００２４】
以下に、本発明が採用されたファクシミリ装置及び当該ファクシミリ装置のファクシミリ送信方法の実施形態について、ファクス機能を搭載し、電子写真方式を採用した複合機を用いて説明する。
【００２５】
図２に示すように、複合機１は、原稿画像を光電変換して画像データとして読み取るスキャナ１１０と、トナー像を形成して記録紙に転写し、当該トナー像を記録紙に定着して出力するプリントエンジン１２０と、公衆回線網を介して接続されたファクシミリ装置等と画像データを送受信する回線制御部１３と、ネットワークＬＡＮを介してコンピュータ端末９０やメールサーバ９１等と直接またはメールに添付して画像データを送受信するネットワーク制御部１４と、複合機１のマンマシンインタフェースである操作部２００等の機能ブロックと、これらの機能ブロックを統括制御するシステム制御部３０等を備えて構成されている。
【００２６】
スキャナ１１０は、原稿給紙台に載置された原稿を順次給紙する原稿自動送り装置と、原稿を照明する光源と、複数のミラー及びレンズを介して入光する原稿からの反射光を光電変換して原稿画像を画像データとして読み取るＣＣＤ等の撮像素子を備え、スキャナコントローラ１１により制御されている。
【００２７】
プリントエンジン１２０は、感光体と、感光体表面を一様に帯電する帯電装置と、レーザビームを走査して感光体表面を露光して静電潜像を形成する露光装置と、形成された静電潜像を現像してトナー像として顕像化する現像装置などを備えた感光体ユニット等を備え、感光体ユニットで形成されたトナー像を用紙カセットから搬送された記録紙に転写し、定着ローラと加圧ローラで挟持搬送してトナー像を溶融して記録紙に定着させた後、当該記録紙を出力する。プリントエンジン１２０はエンジンコントローラ１２により制御されている。
【００２８】
図２、図３に示すように、操作部２００は、複合機１に対する操作画面等を表示する液晶表示部２１と、液晶表示部２１に重ね合わせて設置され、操作画面上に配置されたソフトウェアキーに対する操作を検出するタッチパネル２２と、プリント時に点灯する印刷ランプや画像データの送受信時に点灯する送信ランプと受信ランプなど、複合機１の動作状態を消点灯により報知する状態表示ＬＥＤ２３と、複数のハードウェアキー２４でなる操作キーを備えて構成され、操作制御部２０により制御されている。
【００２９】
操作部２００にはハードウェアキー２４として、プリント枚数やプリント濃度等の入力に使用する数値キー２４０と、複合機１にプリントやファックス送信やメール送信等の開始を指示する際に操作するスタートキー２４１と、複合機１の動作モードを切り替える際に操作する機能切替キーが設けられている。
【００３０】
機能切替キーは、複合機１の動作モードを、コピーモードに切り替えるコピーキーと、ファクス送信モードやメール送信モード等の送信モードに切り替える送信キー２４３と、文書ボックスモードに切り替える文書ボックスキーでなる。
【００３１】
ここで、文書ボックスモードとは、後述する文書ボックスにスキャナ１２０で読み取られた画像データや、回線制御部１３またはネットワーク制御部１４を介して受信した画像データを画像ファイルとして格納し、または、文書ボックスに格納した画像ファイルを選択し、当該画像ファイルの画像データに基づいてプリントエンジン１２０でプリントし、または、回線制御部１３若しくはネットワーク制御部１４を介して画像ファイルの画像データをファクス文書として送信またはメールに添付して送信する動作モードである。
【００３２】
図２に示すように、システム制御部３０に、スキャナコントローラ１１とエンジンコントローラ１２と回線制御部１３とネットワーク制御部１４と操作制御部２０がバスを介して接続されている。当該バスは、制御データを送受信する制御バスと、画像データを送受信する画像バスで構成され、具体的には、ＵＳＢ（Universal Serial Bus）やＰＣＩ（Peripheral Component Interconnect）バスなどの汎用バスで構成されている。
【００３３】
各制御部にはＲＯＭやＲＡＭなどを内蔵するマイクロコンピュータと周辺回路が備えられている。各マイクロコンピュータはＲＯＭに格納された動作プログラムに規定されたアルゴリズムに基づいて動作する。
【００３４】
また、当該バスには、ＨＤコントローラ１５を介して、大容量ハードディスクでなる記憶部１５０が接続されている。記憶部１５０には画像ファイルを格納する領域としての文書ボックスが設定されている。
【００３５】
ネットワーク制御部１３は、ネットワークＬＡＮを介して、ＦＴＰ（File Transfer Protocol）やＳＭＢ（Server Message Block）プロトコル等に基づいてコンピュータ端末９０と直接、または、ＳＭＴＰ（Simple Mail Transfer Protocol）等に基づいてメールに添付してメールサーバ９１との間で画像データを送受信する。
【００３６】
回線制御部１４は、Ｇ３（Group3）規格等に基づいて、公衆回線網に接続されたファクシミリ装置に画像データをファクス文書として送信する。
【００３７】
操作制御部２０は、マイクロコンピュータ２０ａの他、周辺回路として、液晶表示部２１に表示する操作画面の画面データを展開するＶＲＡＭ２０ｂと、タッチパネル２２に対する入力インタフェース回路２０ｃと、状態表示ＬＥＤ２３の駆動回路２０ｄと、ハードウェアキー２４に対する入力インタフェース回路２０ｅなどを備えている。
【００３８】
操作制御部２０は、システム制御部３０から入力された制御データに基づいて、状態表示ＬＥＤ２３を消点灯し、液晶表示部２１にソフトウェアキーが配置された操作画面等を表示する。操作制御部２０は、押下されたハードウェアキー２４や押圧されたソフトウェアキーを検出し、検出したキーに関するデータをシステム制御部３０に出力する。
【００３９】
システム制御部３０はバスを介して制御データを出力して他の制御部を統括制御する。システム制御部３０は、ファクス送信モードに関連する機能ブロックとして、図１に示すように、入力されたファクス番号を記憶及び表示する送信先番号入力処理部４０と、送信先番号入力処理部４０に入力されたファクス番号をダイヤルしてファクス文書を送信するファクス送信部４２と、誤送信防止部４３を備えている。
【００４０】
送信先番号入力処理部４０は、操作制御部２０を介して、操作部２００に備えられた数値キー２４０を操作して入力されたファクス番号をシステム制御部３０のマイクロコンピュータに備えられたＲＡＭでなる送信先番号記憶部４１に記憶し、操作部２００の液晶表示部２１に表示された操作画面に当該ファクス番号を表示する。
【００４１】
ファクス送信部４２は、送信先番号記憶部４１に記憶されたファクス番号を読み出して回線制御部１３を介して、スキャナ１１０で読み取られた画像データをファクス文書として送信する。
【００４２】
誤送信防止部４３は、送信先番号入力処理部４０を介してファクス番号を先頭から入力する第一モードとファクス番号を末尾から入力する第二モードでなる二つの入力モードを切り替えるモード切替部４４と、一方の入力モードで入力されたファクス番号を他方の入力モードで非表示に切り替える表示制御部４５と、第一モードで入力されたファクス番号と第二モードで入力されたファクス番号を照合する照合部４６を備えている。
【００４３】
誤送信防止部４３は、照合部４６により第一モードで入力されたファクス番号と第二モードで入力されたファクス番号が照合されて双方のファクス番号が一致するとの照合結果が得られると、ファクス送信部４２を起動するように構成されている。
【００４４】
送信キー２４３が押下され、システム制御部３０から複合機１の動作モードを送信モードに切り替える旨の制御データが入力されると、操作制御部２０は、ＲＯＭに格納した送信モードの操作画面の画面データを読み出し、液晶表示部２１に当該操作画面を表示する。
【００４５】
当該操作画面には、図４（ａ）に示すように、ファクス文書の送信先を設定する操作画面を呼び出す「宛先タブ」と、原稿サイズや送信画質などを設定する操作画面を呼び出す「簡単設定タブ」と、回線状態などを設定する操作画面を呼び出す「応用／その他タブ」が備えられている。
【００４６】
オペレータは、「宛先タブ」が選択されて表示された操作画面の下側に配置されたショートカットキー５０や、当該操作画面の右側に配置されたアドレス帳キー５１を押圧して、複合機１に事前に登録した送信先に対してファクス文書を送信することができる。
【００４７】
ショートカットキー５０の夫々には送信先のファクス番号が登録されており、押圧されたショートカットキーの夫々に登録された送信先がショートカットキー５０上側に配置された送信先一覧表に表示される。
【００４８】
アドレス帳キー５１が押圧されると、送信先の名称とファクス番号が関連付けられて登録されたアドレス帳画面が表示され、当該画面で押圧により選択された送信先が送信先一覧表に表示される。送信先一覧表に送信先が表示された状態でスタートキー２４１が押下されると、当該送信先に画像データでなるファクス文書が送信される。
【００４９】
オペレータは、「宛先タブ」が選択されて表示された操作画面の右側に配置された新規ファクスキー５２を押圧してファクス番号を直接入力し、任意の送信先にファクス文書を送信することができる。
【００５０】
新規ファクスキー５２が押圧されると、モード切替部４４は送信先番号入力処理部４０を介して当該操作画面に対する入力モードを第一モードに切り替える。
【００５１】
また、図４（ｂ）に示すように、送信先番号入力処理部４０はファクス番号を先頭から末尾の順序で入力する（以下、入力順序が先頭から末尾であることを「正順」と記載する。）ように促すメッセージと入力された順序でファクス番号を表示する第一入力画面をポップアップ表示する。
【００５２】
送信先番号入力処理部４０は、数値キー２４０が押下されてファクス番号が入力されると、図５（ａ）に示すように、入力された順序でファクス番号を第一入力画面に表示する。
【００５３】
正順で入力すべきファクス番号の入力が完了してスタートキー２４１が押下されると、モード切替部４４は入力モードを第二モードに切り替える。
【００５４】
また、送信先番号入力処理部４０は、当該ファクス番号を正順のファクス番号として送信先番号記憶部４１に記憶するとともに、図５（ｂ）に示すように、ファクス番号を末尾から先頭の順序で入力する（以下、入力順序が末尾から先頭であることを「逆順」と記載する。）ようにオペレータに促すメッセージと入力された順序でファクス番号を表示する第二入力画面を表示する。
【００５５】
送信先番号入力処理部４０は、数値キー２４０が押下されてファクス番号が入力されると、図５（ｃ）に示すように、入力された順序でファクス番号を第二入力画面に表示する。
【００５６】
ここで、オペレータによりファクス番号が一桁以上入力されると、第一入力画面及び第二入力画面に表示された「ファクス番号の入力を促すメッセージ」は送信先番号入力処理部４０によって「スタートキー２４１の押下によりファクス文書の送信を開始する旨のメッセージ」に切り替え表示される。
【００５７】
逆順で入力すべきファクス番号の入力が完了してスタートキー２４１が押下されると、送信先番号入力処理部４０は当該ファクス番号を逆順のファクス番号として送信先番号記憶部４１に記憶する。
【００５８】
照合部４６は、スタートキー２４１が押下されると、送信先番号記憶部４１に記憶された正順のファクス番号と逆順のファクス番号を照合する。
【００５９】
照合部４６により双方のファクス番号が一致するとの照合結果が得られると、誤送信防止部４３はファクス送信部４２を起動するとともに、スキャナコントローラ１１を介してスキャナ１１０に原稿を読み取らせる。
【００６０】
ファクス送信部４２は、送信先番号記憶部４１に記憶された正順のファクス番号を読み出して当該ファクス番号をダイヤルしてスキャナ１１０で読み取った原稿の画像データをファクス文書として送信を開始し、図６（ｂ）に示すように、ファクス文書の送信中である旨の表示画面を表示する。
【００６１】
照合部４６により双方のファクス番号が不一致であると判断されると、送信先番号入力処理部４０は、図６（ａ）に示すように、照合結果が不一致である旨の警告メッセージを直前の入力モードに対応する第一入力画面または第二入力画面に表示する。尚、図６（ａ）では、第二入力画面に当該警告メッセージが表示されている。
【００６２】
そして、モード切替部４４は入力モードを直前のモードとは異なる入力モードに切り替え、送信先番号入力処理部４０は送信先番号記憶部４１に記憶された逆順のファクス番号または正順のファクス番号が表示された状態で第二入力画面または第一入力画面を再表示する。
【００６３】
送信先番号入力処理部４０により再表示された第二入力画面または第一入力画面に表示されたファクス番号の修正が完了してスタートキー２４１が押下されると、送信先番号入力処理部４０は修正後のファクス番号を逆順または正順のファクス番号として送信先番号記憶部４１に上書きで記憶し、照合部４６は送信先番号記憶部４１に記憶された正順のファクス番号と逆順のファクス番号を再照合する。
【００６４】
ここで、照合部４６による再照合で双方のファクス番号が一致するとの照合結果が得られるまで、送信先番号入力処理部４０により第一入力画面または第二入力画面は再表示され、照合部４６による再照合は繰り返される。
【００６５】
また、スタートキー２４１が押下されて、送信先番号入力処理部４０により第一入力画面または第二入力画面が表示される際には、入力されたファクス番号が表示された第二入力画面または第一入力画面は表示制御部４５により非表示にされる。従って、オペレータは第二入力画面または第一入力画面に表示されたファクス番号を見ながらファクス番号を再入力することはできない。
【００６６】
ところで、システム制御部３０は誤送信防止部４３を作動させるか否かを切り替え設定する誤送信防止モード設定部４７を備えている。誤送信防止モード設定部４７により誤送信防止部４３を作動させないように切り替え設定することで、ファクス文書の誤送信が生じる可能性は高まるものの、ファクス番号を複合機１に直接入力してファクス文書を送信する際にオペレータが要求される入力操作を簡素化することができる。
【００６７】
オペレータが操作部２００に配置されたシステムメニュー２４４を押下すると先ず、図７（ａ）に示すように、ログインユーザ名とログインパスワードを確認するログイン画面が操作制御部２０を介してシステム制御部３０により表示される。当該ログイン画面で、管理者権限を有するオペレータのログインユーザ名とログインパスワードが正しく入力されてログインキーが押圧されると、複合機１の重要な設定を行うことができるシステムメニューの操作画面が表示される。
【００６８】
図７（ｂ）に示すようにシステムメニューの操作画面で「ファクスキー」が押圧されると、図８（ａ）に示すように、ファクス機能に関する重要な設定を行うことができる操作画面が表示され、当該操作画面に配置された「誤送信防止モードキー」が押圧されると、図８（ｂ）に示すように、誤送信防止部４３を作動させるか否かを切り替え設定する操作画面が誤送信防止モード設定部４７によりポップアップ表示される。
【００６９】
誤送信防止モード設定部４７は、当該操作画面で「ＯＮキー」が押圧されて「ＯＫキー」が押圧されると、当該操作画面を消去するとともに誤送信防止モードを有効にして誤送信防止部４３の作動を許容設定し、当該操作画面で「ＯＦＦキー」が押圧されて「ＯＫキー」が押圧されると、当該操作画面を消去するとともに誤送信防止モードを無効にして誤送信防止部４３の作動を禁止設定する。
【００７０】
以下に、複合機１におけるファクス番号を直接入力してのファクス送信動作について、図９に示すフローチャートを用いて説明する。
【００７１】
送信モードの操作画面で新規ファクスキー５２が押圧されると（Ｓ１）、モード切替部４４により入力モードが第一モードに切り替えられ、送信先番号入力処理部４０により第一入力画面が表示される（Ｓ２）。
【００７２】
オペレータにより、正順で入力すべきファクス番号が第一入力画面で入力されてスタートキー２４１が押下されたとき（Ｓ３）、誤送信防止モード設定部４７により切り替え設定された誤送信防止モードが有効でなければ（Ｓ４）、ファクス送信部４２により、第一入力画面で入力されたファクス番号がダイヤルされ、スキャナ１１０で読み取られた画像データがファクス文書として送信される（Ｓ８）。
【００７３】
オペレータにより、正順で入力すべきファクス番号が第一入力画面で入力されてスタートキー２４１が押下されたとき（Ｓ３）、誤送信防止モード設定部４７により切り替え設定された誤送信防止モードが有効であれば（Ｓ４）、第一入力画面で入力されたファクス番号が正順のファクス番号として送信先番号入力処理部４０により送信先番号記憶部４１に記憶される。
【００７４】
また、モード切替部４４により入力モードが第二モードに切り替えられ（Ｓ５）、送信先番号入力処理部４０により第二入力画面が表示される。
【００７５】
オペレータにより、逆順で入力すべきファクス番号が第二入力画面で入力されてスタートキー２４１が押下されると（Ｓ６）、第二入力画面で入力されたファクス番号が逆順のファクス番号として送信先番号入力処理部４０により送信先番号記憶部４１に記憶され、照合部４６により正順のファクス番号と逆順のファクス番号が照合される。
【００７６】
照合部４６により双方のファクス番号が一致するとの照合結果が得られると（Ｓ７）、誤送信防止部４３によりファクス送信部４２が起動され、ファクス送信部４２により送信先番号記憶部４１に記憶された正順のファクス番号が読み出されてダイヤルされ、スキャナ１１０で読み取られた画像データがファクス文書として送信される（Ｓ８）。
【００７７】
照合部４６により双方のファクス番号が不一致であると判断されると（Ｓ７）、送信先番号入力処理部４０により照合結果が不一致である旨の警告メッセージが第二入力画面に表示される。
【００７８】
所定時間経過後にモード切替部４４により直前の入力モードとは異なる入力モードに切り替えられ（Ｓ９）、送信先番号入力処理部４０により第一入力画面が表示される。ここで、第一入力画面には前回に入力されて送信先番号記憶部４１に記憶された正順のファクス番号が表示されている。
【００７９】
オペレータにより、当該ファクス番号の誤った桁の番号が修正入力されてスタートキー２４１が押下された後に（Ｓ１０）、第一入力画面で入力されたファクス番号が正順のファクス番号として送信先番号入力処理部４０により送信先番号記憶部４１に上書きで記憶され、照合部４６により修正後の正順のファクス番号と前回の逆順のファクス番号が照合される。
【００８０】
照合部４６により双方のファクス番号が一致するとの照合結果が得られると（Ｓ１１）、誤送信防止部４３によりファクス送信部４２が起動され、ファクス送信部４２により送信先番号記憶部４１に記憶された正順のファクス番号が読み出されてダイヤルされ、スキャナ１１０で読み取られた画像データがファクス文書として送信される（Ｓ８）。
【００８１】
照合部４６により双方のファクス番号が不一致であると判断されると（Ｓ１１）、送信先番号入力処理部４０により、照合結果が不一致である旨の警告メッセージが第一入力画面に表示され、ステップＳ９からの動作が繰り返される。
【００８２】
尚、繰り返し動作時におけるステップＳ９では、モード切替部４４により直前の入力モードとは異なる入力モードに入力モードが切り替えられ、切り替えられた入力モードに対応する第一入力画面または第二入力画面が送信先番号入力処理部４０により表示される。また、第一入力画面または第二入力画面には送信先番号記憶部４１に記憶された正順または逆順のファクス番号が表示されている。
【００８３】
そして、繰り返し動作時におけるステップＳ１０で第一入力画面または第二入力画面に表示されたファクス番号の誤った桁の番号がオペレータにより修正入力されてスタートキー２４１が押下された後に、当該修正入力されたファクス番号が正順または逆順のファクス番号として送信先番号入力処理部４０により送信先番号記憶部４１に上書きで記憶される。
【００８４】
以下に、別実施形態について説明する。
【００８５】
上述の実施形態では、システム制御部３０に誤送信防止モード設定部４７が備えられているものとしたが、誤送信防止モード設定部４７が備えられておらず、常に、誤送信防止部４３が作動するように構成されているものであってもよい。
【００８６】
この場合、オペレータの記憶ミスで生じたファクス番号の入力ミスによるファクス文書の誤送信を確実に防止することができる。
【００８７】
上述の実施形態では、誤送信防止部４３が第一モードで入力されたファクス番号と第二モードで入力されたファクス番号が不一致であると判断したとき、モード切替部４４が直前の入力モードとは異なる入力モードに切り替えるものとしたが、モード切替部４４が切り替える入力モードの順序はこれに限定するものではない。
【００８８】
例えば、誤送信防止部４３により照合結果が不一致であると判断されたとき、モード切替部４４が常に入力モードを第一モードに切り替え、第一入力画面でファクス番号が入力されてスタートキー２４１が押下された後、第二モードに切り替えるように構成してもよい。
【００８９】
即ち、図９に示すフローチャートにおけるステップＳ９からステップＳ１１の繰り返し動作に替えて、ステップＳ２からステップＳ７の繰り返し動作が実行されるのである。
【００９０】
更に、例えば、誤送信防止部４３により照合結果が不一致であると判断されたとき、モード切替部４４が入力モードを直前の入力モードに維持するように構成すれば、オペレータは直前に入力したファクス番号の入力ミスを修正することができる。
【００９１】
この場合、モード切替部４４が設定した入力モードを強制的に切り替えるモード強制切替部を備えることにより、入力モードを切り替えて、直前の入力モードに切り替わる前の入力モードで入力したファクス番号の入力ミスも修正することができる。
【００９２】
具体的には、例えば、照合部４６による照合結果が不一致のとき、送信先番号入力処理部４０により表示される第一入力画面または第二入力画面に入力モードを強制的に切り替える「モード強制切替キー」を備える。
【００９３】
そして、オペレータにより「モード強制切替キー」が押圧されると、モード強制切替部により入力モードが現状の入力モードとは異なる入力モードに切り替えられ、切り替えられた入力モードに対応する第二入力画面または第一入力画面が送信先番号入力処理部４０により表示されるように構成する。
【００９４】
これにより、第一モードまたは第二モードの何れの入力モードで入力されたファクス番号に入力ミスがあっても、オペレータは当該ファクス番号を入力し直すことができる。
【００９５】
上述の実施形態では、本発明が採用されたファクシミリ装置及び当該ファクシミリ装置のファクシミリ送信方法について、ファクス機能が搭載された複合機１を用いて説明したが、本発明はファクス機能のみが搭載された専用のファクシミリ装置及び当該ファクシミリ装置のファクシミリ送信方法に適用することができることは言うまでもない。
【００９６】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００９７】
【図１】本発明に関するシステム制御部が備える主要な機能ブロックの説明図
【図２】複合機のブロック構成図
【図３】操作部の外観図
【図４】（ａ）は送信モードの操作画面の説明図、（ｂ）は第一入力画面の説明図
【図５】（ａ）は第一入力画面の説明図、（ｂ）は第二入力画面の説明図、（ｃ）は第二入力画面の説明図
【図６】（ａ）は警告メッセージの説明図、（ｂ）はファクス文書の送信中に表示される表示画面の説明図
【図７】（ａ）はログイン画面の説明図、（ｂ）はシステムメニューの操作画面の説明図
【図８】（ａ）はファクス機能に関する重要な設定を行う操作画面の説明図、（ｂ）は誤送信防止モードを有効にするか否かを設定する操作画面の説明図
【図９】ファクス番号を直接入力してのファクス送信動作を説明するフローチャート
【符号の説明】
【００９８】
１３：回線制御部
２０：操作制御部
３０：システム制御部
４０：送信先番号入力処理部
４１：送信先番号記憶部
４２：ファクス送信部
４３：誤送信防止部
４４：モード切替部
４５：表示制御部
４６：照合部
４７：誤送信防止モード設定部
２００：操作部
【図１】
0005106157.tif 000002
【図２】
0005106157.tif 000003
【図３】
0005106157.tif 000004
【図４】
0005106157.tif 000005
【図５】
0005106157.tif 000006
【図６】
0005106157.tif 000007
【図７】
0005106157.tif 000008
【図８】
0005106157.tif 000009
【図９】
0005106157.tif 000010